(57)【要約】      （修正有）【課題】運搬及び保管が容易なゴルフクラブ用ヘッドカバーの提供。【解決手段】ゴルフクラブ用ヘッドカバー２は、ゴルフクラブのヘッドのソール部分を覆うソール部４と、ヘッドのフェイス部分及びこのフェイス部分に対向するヘッドの背面を覆う一対のサイド部６とを備えている。ソール部４は、トウ側の端からからヒール側の端まで延在する第一軟質帯１６を備えている。サイド部６はサイドシートを備えている。第一軟質帯１６の素材が上記サイドシートの素材よりも軟質である。ソール部４は第一軟質帯１６を中心として折り曲げ可能である。好ましくは、ソール部４はソールシート１８をさらに備えている。ソールシート１８の素材は第一軟質帯１６の素材よりも硬質である。【選択図】図１
2015123081.tif 000002
【特許請求の範囲】
【請求項１】
ゴルフクラブのヘッドのソール部分を覆うソール部と、ヘッドのフェイス部分及びこのフェイス部分に対向するヘッドの背面を覆う一対のサイド部とを備えており、
上記ソール部がトウ側の端からからヒール側の端まで延在する第一軟質帯を備えており、
上記サイド部がサイドシートを備えており、
上記第一軟質帯の素材が上記サイドシートの素材よりも軟質であるゴルフクラブ用のヘッドカバー。
【請求項２】
上記ソール部が上記第一軟質帯を中心として折り曲げ可能である請求項１に記載のヘッドカバー。
【請求項３】
上記ソール部がソールシートをさらに備えており、
上記ソールシートの素材が上記第一軟質帯の素材よりも硬質である請求項１又は２に記載のヘッドカバー。
【請求項４】
上記第一軟質帯の１０％伸張時の引張り荷重Ｆ１の、上記サイドシートの１０％伸張時の引張り荷重Ｆ２に対する比（Ｆ１／Ｆ２）が、０．０５以上０．５以下である請求項１から３のいずれかに記載のヘッドカバー。
【請求項５】
上記第一軟質帯が伸縮自在な素材でできている請求項１から４のいずれかに記載のヘッドカバー。
【発明の詳細な説明】
【技術分野】
【０００１】
本発明は、ゴルフクラブのヘッドカバーに関する。詳細には、本発明は、運搬や保管が容易なゴルフクラブのヘッドカバーに関する。
【背景技術】
【０００２】
ゴルフクラブを運ぶ際は、通常複数本のゴルフクラブが、一つのキャディバックに収納される。これが輸送される際に、ゴルフクラブのヘッド同士が衝突して損傷することがある。損傷防止のために、通常、各々のゴルフクラブについて、ヘッドからシャフトにかけて、ヘッドカバーが被せられる。
【０００３】
ヘッドカバーは、全体を伸縮自在なニットで構成されることがある。伸縮自在なニットでできたヘッドカバーは、ゴルフクラブのヘッドの形状にフィットする。しかし、このヘッドカバーは耐久性に劣る。このヘッドカバーはキャディバッグの中で、他のクラブとの衝突により破損し易い。
【０００４】
ヘッドカバーの耐久性を向上させるために、近年は、ヘッドカバーの素材として、ポリウレタン、ポリ塩化ビニル等を基材とする樹脂シートや、天然皮革、合成皮革、人工皮革等の皮革シートが用いられている。これらのシートは、ニットよりも硬質である。これらのシートからなるヘッドカバーは耐久性に優れる。
【０００５】
硬質のシートと軟質のニットとから構成されたヘッドカバーが、特許３８０６７０５号公報に開示されている。特許３８０６７０５号公報のヘッドカバーでは、クラウン部とシャフト部をニットで構成し、それ以外の部分を硬質のシートで構成することで、ヘッドカバーの形状をゴルフクラブにフィットさせつつ、ヘッドカバーの耐久性を向上させている。
【先行技術文献】
【特許文献】
【０００６】
【特許文献１】特許３８０６７０５号公報
【発明の概要】
【発明が解決しようとする課題】
【０００７】
硬質のシートからなるヘッドカバーは、形状保持性能が高い。このヘッドカバーは、ゴルフクラブのヘッドを覆っていない時でも、ヘッドを覆っている時の形状をほぼそのまま保持している。特に近年、ゴルフクラブのヘッドが大きくなり、体積が３００ｃｃや４００ｃｃを超える大きさのヘッドを持つゴルフクラブも商品化されている。このため、ヘッドカバーの体積も大きくなっている。このヘッドカバーはかさばる。ゴルフクラブとヘッドカバーは、通常別々の商品であるため、別々に流通する。かさばるヘッドカバーは、運送時の高コストを招く。かさばるヘッドカバーの保管には、広いスペースが必要である。ヘッドカバーの体積を小さくするため、硬質のシートからなるヘッドカバーを無理に折りたたむと、ヘッドカバーに皺ができる。これは、ヘッドカバーの外観を損ねる。これは、ヘッドカバーの商品価値を損ねる。
【０００８】
本発明の目的は、運搬及び保管が容易なゴルフクラブ用ヘッドカバーの提供にある。
【課題を解決するための手段】
【０００９】
本発明に係るゴルフクラブ用ヘッドカバーは、ゴルフクラブのヘッドのソール部分を覆うソール部と、ヘッドのフェイス部分及びこのフェイス部分に対向するヘッドの背面を覆う一対のサイド部とを備えている。上記ソール部は、トウ側の端からからヒール側の端まで延在する第一軟質帯を備えている。上記サイド部はサイドシートを備えている。上記第一軟質帯の素材は上記サイドシートの素材よりも軟質である。
【００１０】
好ましくは、上記ソール部は上記第一軟質帯を中心として折り曲げ可能である。
【００１１】
好ましくは、上記ソール部はソールシートをさらに備えている。上記ソールシートの素材は上記第一軟質帯の素材よりも硬質である。
【００１２】
好ましくは、上記第一軟質帯の１０％伸張時の引張り荷重Ｆ１の、上記サイドシートの１０％伸張時の引張り荷重Ｆ２に対する比（Ｆ１／Ｆ２）は、０．０５以上０．５以下である。
【００１３】
好ましくは、上記第一軟質帯は伸縮自在な素材でできている。
【発明の効果】
【００１４】
本発明に係るゴルフクラブ用ヘッドカバーは、そのソール部が、トウ側の端からからヒール側の端まで延在する第一軟質帯を備えている。これにより、ヘッドカバーの体積が小さくされうる。このヘッドカバーは、輸送時にかさばらない。このヘッドカバーは、小さいスペースで保管ができる。
【図面の簡単な説明】
【００１５】
【図１】図１は、本発明の一実施形態に係るヘッドカバーの正面図である。
【図２】図２は、図１のヘッドカバーの側面図である。
【図３】図３は、図１のヘッドカバーの背面図である。
【図４】図４は、図１のヘッドカバーの平面図である。
【図５】図５は、図１のヘッドカバーの収納時の形態が示された背面図である。
【図６】図６は、本発明の他の実施形態に係るヘッドカバーの背面図である。
【図７】図７は、図６のヘッドカバーの側面図である。
【図８】図８は、図６のヘッドカバーの平面図である。
【図９】図９は、図６のヘッドカバーの背面図である。
【発明を実施するための形態】
【００１６】
以下、適宜図面が参照されつつ、好ましい実施形態に基づいて本発明が詳細に説明される。
【００１７】
図１から４に、本発明の一実施形態に係るヘッドカバー２が示されている。図１は、ヘッドカバー２の正面図であり、図２はその側面図であり、図３はその背面図であり、図４はその平面図である。図１において、矢印Ｘは上下方向を表し、矢印Ｙは左右方向を表す。図に示されるとおり、このヘッドカバー２は、ソール部４、一対のサイド部６、クラウン部８、バック部１０、シャフト部１２及びストラップ１４を備えている。
【００１８】
ソール部４は、ゴルフクラブのヘッドのソール部分を覆う。ソール部４は、ヘッドのソール部分を保護する。ソール部４はヘッドカバー２の上端側に位置する。図に示されるように、ソール部４は、第一軟質帯１６と一対のソールシート１８とを備えている。
【００１９】
第一軟質帯１６は、ソール部４のトウ側の端２０からヒール側の端２２まで延在している。第一軟質帯１６の素材は、ソールシート１８の素材より軟質である。第一軟質帯１６の素材は、後述するサイド部６のサイドシートの素材より軟質である。第一軟質帯１６は、折り曲げが自在である。第一軟質帯１６は、典型的にはニットでできている。
【００２０】
一対のソールシート１８は、第一軟質帯１６を挟んで左右側に位置している。ソールシート１８は、第一軟質帯１６より硬質である。硬質であるソールシート１８は、強い衝撃からもヘッドのソール部分を保護する。硬質であるソールシート１８は、耐久性に優れる。ソールシート１８を有するソール部４は、他のクラブとの衝突による破損が抑えられている。ソールシート１８の素材としては、ポリウレタン、ポリ塩化ビニル等を基材とする樹脂シートが例示される。ソールシート１８の素材が、天然皮革、合成皮革、人工皮革等の皮革シートであってもよい。
【００２１】
第一軟質帯１６とソールシート１８とは、接合されている。接合は、第一軟質帯１６とソールシート１８とが縫合されることで達成されている。
【００２２】
一対のサイド部６は、ゴルフクラブのヘッドのフェイス部分及びこのフェイス部分に対向するヘッドの背面を覆う。一対のサイド部６は、クラブのシャフトの一部も覆う。一対のサイド部６は、ソール部４の左右端２４から下方向に延びている。
【００２３】
図２に示されるように、それぞれのサイド部６は、２枚のサイドシート２６から構成されている。サイドシート２６は、２枚のサイドシート２６が縫い合わされて構成されている。サイドシート２６は、第一軟質帯１６より硬質である。硬質であるサイドシート２６は、強い衝撃からもヘッドのフェイス部分及びこのフェイス部分に対向するヘッドの背面を保護する。硬質であるサイドシート２６は、耐久性に優れる。サイドシート２６を有するサイド部６は、他のクラブとの衝突による破損が抑えられている。サイドシート２６の素材としては、ポリウレタン、ポリ塩化ビニル等を基材とする樹脂シートが例示される。サイドシート２６の素材が、天然皮革、合成皮革、人工皮革等の皮革シートであってもよい。このヘッドカバー２では、サイドシート２６の素材は、ソールシート１８の素材と同じである。サイドシート２６の素材が、ソールシート１８の素材と異なってもよい。
【００２４】
サイド部６が１枚のサイドシート２６からなってもよい。サイド部６が３枚以上のサイドシート２６を備えていてもよい。サイド部６が、二種以上の硬質なシートを備えていてもよい。サイド部６が硬質なシート及び軟質な素材から構成されていてもよい。
【００２５】
クラウン部８は、ゴルフクラブのヘッドのクラウン部分を覆う。クラウン部８は、シャフトの一部も覆う。クラウン部８は、ソール部４のトウ側の端２０から下方向に延びている。クラウン部８の左右端は、一対のサイド部６と接合している。
【００２６】
クラウン部８は伸縮自在な素材からなる。伸縮自在な素材からなるクラウン部８は、ヘッドカバー２をゴルフクラブのヘッドに被せる際に、幅が左右方向に広がりうる。これは、ヘッドカバー２のヘッドへの取り付けを容易にする。ヘッドカバー２をヘッドに被せた後、このクラウン部８の幅は、もとに戻る。これにより、ヘッドカバー２の形状がゴルフクラブにフィットする。クラウン部８の典型的な素材はニットである。
【００２７】
バック部１０は、ゴルフクラブのヘッドのヒール部分からシャフトの一部までを覆う。バック部１０は、ソール部４のヒール側の端から下方向に延びている。バック部１０の左右端は、一対のサイド部６と接合している。
【００２８】
図３に示されるように、バック部１０は、第二軟質帯２８及び一対のバックシート３０を備えている。第二軟質帯２８は、バック部１０の上側端の中央３２から右上及び左上に延びている。この第二軟質帯２８は、ソール部４と接合されている。さらに第二軟質帯２８は、バック部１０の上側端の中央３２から下側端３４まで延びている。換言すれば、この第二軟質帯２８はＹ字形状を呈している。第二軟質帯２８の素材は典型的にはニットである。図３のヘッドカバー２では、第二軟質帯２８の素材は、第一軟質帯１６の素材と同じである。第二軟質帯２８の素材が、第一軟質帯１６の素材と異なっていてもよい。
【００２９】
一対のバックシート３０は、上下に延在する第二軟質帯２８を挟んで左右に位置する。それぞれのバックシート３０は、第二軟質帯２８より硬質である。硬質であるバックシート３０は、耐久性に優れる。バックシート３０を有するバック部１０は、他のクラブとの衝突による破損が抑えられている。バックシート３０の素材としては、ポリウレタン、ポリ塩化ビニル等を基材とする樹脂シートが例示される。バックシート３０の素材が、天然皮革、合成皮革、人工皮革等の皮革シートであってもよい。このヘッドカバー２では、バックシート３０の素材は、ソールシート１８及びサイドシート２６の素材と同じである。バックシート３０の素材が、ソールシート１８及びサイドシート２６の素材と異なってもよい。
【００３０】
バック部１０がバックシート３０のみからなってもよい。バック部１０が、２枚以上のバックシート３０が縫合されたものを備えていてもよい。バック部１０が、二種以上の硬質なシートを備えていてもよい。
【００３１】
シャフト部１２は、ゴルフクラブのシャフト部分を覆う。シャフト部１２は筒状である。シャフト部１２は、クラウン部８、サイド部６及びバック部１０の下側の端から下方向に延びている。シャフト部１２は、クラウン部８、サイド部６及びバック部１０の下側の端と接合している。
【００３２】
シャフト部１２は伸縮自在な素材からなる。伸縮自在な素材からなるシャフト部１２は、ヘッドカバー２をゴルフクラブのヘッドに被せる際に、ヘッドが通過できる程度にその内径が大きくなりうる。このシャフト部１２の内径は、ヘッドカバー２をヘッドに被せた後、もとの大きさに戻る。これにより、ヘッドカバー２の形状がゴルフクラブにフィットする。シャフト部１２の典型的な素材はニットである。
【００３３】
ストラップ１４は、ソール部４のトウ側の端に取り付けられている。使用者は、ゴルフクラブからヘッドカバー２を抜き取る際に、このストラップ１４に指をかけることができる。ストラップ１４は、ゴルフクラブからヘッドカバー２を抜き取るのを容易にする。
【００３４】
以後、本発明の作用効果が説明される。
【００３５】
本発明に係るゴルフクラブ用ヘッドカバー２では、ソール部４はトウ側の端２０からからヒール側の端２２まで延在する第一軟質帯１６及び第一軟質帯１６を挟んで両側に位置するソールシート１８を備えている。この第一軟質帯１６は、ソールシート１８より軟質である。この第一軟質帯１６は、折り曲げ自在である。図５には、第一軟質帯１６を中心にしてソール部４を折り曲げた状態でのヘッドカバー２が示されている。ヘッドカバー２は、図５に示された状態で収納される。図に示されるとおり、このヘッドカバー２の体積は、ソール部４が折り曲げられていないヘッドカバー２の体積に比べて、大幅に小さくされている。このヘッドカバー２は、かさばらない。このヘッドカバー２は、折り曲げられた状態で輸送されるため、このヘッドカバー２の輸送時のコストは小さい。このヘッドカバー２は、折り曲げられた状態で保管されるため、このヘッドカバー２の保管に必要なスペースは小さい。また、軟質な第一軟質帯１６を折り曲げているので、ヘッドカバー２に皺は生じない。このヘッドカバー２は、外観が保たれている。
【００３６】
本発明に係るゴルフクラブ用ヘッドカバー２は、ソール部４にソールシート１８を備えている。図４に示されるように、ソール部４の多くの部分がソールシート１８で構成されている。また、このヘッドカバー２は、サイド部６がサイドシート２６で構成されている。これらのシートは、硬質である。このシートを有するヘッドカバー２は、他のクラブとの衝突による破損が抑えられている。このヘッドカバー２は、ソール部４及びサイド部６全体が硬質のシートで構成されたヘッドカバーとほぼ同等の耐久性を有する。
【００３７】
第一軟質帯１６の１０％伸張時の引張り荷重がＦ１とされ、サイドシート２６の１０％伸張時の引張り荷重がＦ２とされたとき、比（Ｆ１／Ｆ２）は、０．０５以上０．５以下が好ましい。比（Ｆ１／Ｆ２）が、０．０５以上０．５以下のヘッドカバー２では、ソール部４の折り曲げによる体積の減少と、高い耐久性が両立しうる。この観点から、比（Ｆ１／Ｆ２）は、０．１以上０．３以下がより好ましい。
【００３８】
ソールシート１８の１０％伸張時の引張り荷重がＦ３とされたとき、比（Ｆ１／Ｆ３）は、０．０５以上１．０以下が好ましい。比（Ｆ１／Ｆ３）が、０．０５以上１．０以下のヘッドカバー２では、ソール部４の折り曲げによる体積の減少と、高い耐久性が両立しうる。この観点から、比（Ｆ１／Ｆ３）は、０．３以上０．８以下がより好ましい。
【００３９】
引張り荷重Ｆ１、Ｆ２及びＦ３は、引張り試験機によって測定されうる。試験片は、短冊状である。この試験片の幅は５０ｍｍであり、長さは３００ｍｍである。標線間距離は５０ｍｍであり、引張り速度は２００ｍｍ／ｍｉｎである。試験は、２３℃の環境下で行われる。
【００４０】
各素材の伸縮性に方向性がある場合、最も引張り荷重が小さい方向と、これに直交する方向とにおいて、測定がなされる。両者が平均されて、引張り荷重Ｆ１、Ｆ２及びＦ３が算出される。
【００４１】
図４において、両矢印Ｗは、第一軟質帯１６の幅を表す。幅Ｗは７．０ｍｍ以上が好ましい。幅Ｗが７．０ｍｍ以上の第一軟質帯１６を有するソール部４は、容易に折れ曲げることができる。この観点から幅Ｗは１５．０ｍｍ以上がより好ましい。幅Ｗは３０．０ｍｍ以下が好ましい。幅Ｗが３０．０ｍｍ以下の第一軟質帯１６を有するソール部４は、耐久性に優れる。この観点から幅Ｗは２０．０ｍｍ以下がより好ましい。
【００４２】
図６から８に、本発明の他の実施形態に係るヘッドカバー４０が示されている。図６はヘッドカバー４０の背面図であり、図７はその側面図であり、図８はその平面図である。図６において、矢印Ｘは上下方向を表し、矢印Ｙは左右方向を表す。このヘッドカバー４０は、ソール部４２、一対のサイド部４４、クラウン部４８及びバック部４６を備えている。
【００４３】
ソール部４２は、ゴルフクラブのヘッドのソール部分を覆う。ソール部４２は、ヘッドのソール部分を保護する。ソール部４２はヘッドカバー４０の上端側に位置する。ソール部４２は、全面が第一軟質帯５０により構成されている。
【００４４】
第一軟質帯５０は、ソール部４２のトウ側の端５４からヒール側の端５２まで延在している。第一軟質帯５０の素材は、後述するサイド部４４のサイドシートの素材より軟質である。第一軟質帯５０は、折り曲げが自在である。第一軟質帯５０は、伸縮自在である。第一軟質帯５０は、典型的にはニットでできている。
【００４５】
一対のサイド部４４は、ゴルフクラブのヘッドのフェイス部分及びこのフェイス部分に対向するヘッドの背面を覆う。一対のサイド部４４は、クラブのシャフトの一部も覆う。一対のサイド部４４は、ソール部４２の左右端５６から下方向に延びている。
【００４６】
それぞれのサイド部４４は、第三軟質帯５８及びサイドシート６０を備えている。サイド部４４は、第三軟質帯５８及びサイドシート６０が縫い合わされて構成されている。
【００４７】
第三軟質帯５８は、サイド部４４の上側端において、正面側の端から背面側の端まで延びている。この第三軟質帯５８は、ソール部４２と接合されている。さらに第三軟質帯５８は、サイド部４４の正面側の端の上側端から下側に延びている。第三軟質帯５８の素材は、サイドシート６０の素材より軟質である。第三軟質帯５８は典型的にはニットでてきている。このヘッドカバー４０では、第三軟質帯５８の素材は、第一軟質帯５０の素材と同じである。第三軟質帯５８の素材が、第一軟質帯５０の素材と異なってもよい。
【００４８】
サイドシート６０は、サイド部４４の正面側の端の上側端から下側に延びている第三軟質帯５８の背面側に位置する。サイドシート６０は、第一軟質帯５０及び第三軟質帯５８より硬質である。硬質であるサイドシート６０は、耐久性に優れる。サイドシート６０を有するサイド部４４は、他のクラブとの衝突による破損が抑えられている。サイドシート６０の素材としては、ポリウレタン、ポリ塩化ビニル等を基材とする樹脂シートが例示される。サイドシート６０の素材が、天然皮革、合成皮革、人工皮革等の皮革シートであってもよい。
【００４９】
サイド部４４がサイドシート６０のみからなってもよい。サイド部４４が２枚以上のサイドシート６０を備えていてもよい。サイド部４４が、二種以上の硬質なシートを備えていてもよい。
【００５０】
クラウン部４８は、ゴルフクラブのヘッドのクラウン部分を覆う。クラウン部４８は、シャフトの一部も覆う。クラウン部４８は、ソール部４２のトウ側の端５４から下方向に延びている。クラウン部４８の左右端は、一対のサイド部４４と接合している。
【００５１】
クラウン部４８は伸縮自在な素材からなる。伸縮自在な素材からなるクラウン部４８は、ヘッドカバー４０をゴルフクラブのヘッドに被せる際に、幅が左右方向に広がりうる。これは、ヘッドカバー４０のヘッドへの取り付けを容易にする。クラウン部４８の典型的な素材はニットである。このヘッドカバー４０では、クラウン部４８の素材は、第一軟質帯５０の素材と同じである。このヘッドカバー４０では、ソール部４２とクラウン部４８は、一体として形成されている。クラウン部４８の素材が、第一軟質帯５０の素材と異なってもよい。
【００５２】
クラウン部４８が硬質なシートを備えていてもよい。クラウン部４８が、二種以上の硬質なシートを備えていてもよい。
【００５３】
バック部４６は、ゴルフクラブのヘッドのヒール部分からシャフトの一部までを覆う。バック部４６は、ソール部４２のヒール側の端５２から下方向に延びている。バック部４６の左右端は、一対のサイド部４４と接合している。
【００５４】
バック部４６はジップファスナー６２及び一対のバックシート６４を備えている。ジップファスナー６２は、バック部４６の上端６６から下端６８まで延びている。一対のバックシート６４は、ジップファスナー６２を挟んで両側に位置している。バックシート６４は、第一軟質帯５０及び第三軟質帯５８より硬質である。硬質であるバックシート６４は、耐久性に優れる。バックシート６４を有するバック部４６は、他のクラブとの衝突による破損が抑えられている。バックシート６４の素材としては、ポリウレタン、ポリ塩化ビニル等を基材とする樹脂シートが例示される。バックシート６４の素材が、天然皮革、合成皮革、人工皮革等の皮革シートであってもよい。このヘッドカバー４０では、バックシート６４の素材はサイドシート６０の素材と同じである。バックシート６４の素材がサイドシート６０の素材と異なってもよい。
【００５５】
バック部４６は、ジップファスナー６２により開閉可能である。バック部４６は、その上端６６を除き、ジップファスナー６２部分で左右に分離することができる。バック部４６を開くことで、ヘッドカバー４０がヘッドに容易に被せられうる。ヘッドカバー４０をヘッドに被せた後にジップファスナー６２を閉めることにより、ヘッドカバー４０の形状がゴルフクラブにフィットする。バック部４６がジップファスナー６２に代えて、マグネットを備えていてもよい。
【００５６】
以後、本発明の作用効果が説明される。
【００５７】
本発明に係るゴルフクラブ用ヘッドカバー４０は、ソール部４２はトウ側の端５４からヒール側の端５２まで延在する第一軟質帯５０を備えている。この第一軟質帯５０は、伸縮自在である。このヘッドカバー４０をゴルフクラブのヘッドに被せたとき、この第一軟質帯５０は、左右に広がる。図９には、このヘッドカバー４０をゴルフクラブ７２のヘッドに被せた状態が示されている。第一軟質帯５０が左右に広がるため、ヘッドに被せていない時の第一軟質帯５０の幅は、ヘッドの幅よりも大幅に小さくされている。このヘッドカバー４０の体積は小さい。このヘッドカバー４０は、かさばらない。このヘッドカバー４０の体積は小さいため、このヘッドカバー４０の輸送時のコストは小さい。このヘッドカバー４０の体積は小さいため、このヘッドカバー４０の保管に必要なスペースは小さい。
【００５８】
さらに、この第一軟質帯５０は折り曲げ自在である。ソール部４２を折り曲げることで、ヘッドカバー４０の体積はさらに小さくできる。このヘッドカバー４０は、折り曲げられた状態で輸送されるため、このヘッドカバー４０の輸送時のコストはさらに削減されうる。このヘッドカバー４０は、折り曲げられた状態で保管されるため、このヘッドカバー４０の保管に必要なスペースはさらに小さい。ソール部４２を折り曲げてもこのヘッドカバー４０には、皺は生じない。このヘッドカバー４０は、外観が保たれている。
【００５９】
本発明に係るゴルフクラブ用ヘッドカバー４０は、サイド部４４にサイドシート６０を備えている。このシートは、硬質である。このシートを有するヘッドカバー４０は、他のクラブとの衝突による破損が抑えられている。このヘッドカバー４０は、全体がニットで構成されたヘッドカバー４０に比べて、高い耐久性を有する。
【００６０】
以上説明されたように、本発明に係るヘッドカバーは、従来のヘッドカバーに比べて、体積が大幅に削減されている。このヘッドカバーは、運搬及び保管が容易である。また、このヘッドカバーは、充分な耐久性を有する。このことから、本発明の優位性は明らかである。
【産業上の利用可能性】
【００６１】
本発明に係るヘッドカバーは、種々のゴルフクラブに適している。
【符号の説明】
【００６２】
２、４０・・・ヘッドカバー
４、４２・・・ソール部
６、４４・・・サイド部
８、４８・・・クラウン部
１０、４６・・・バック部
１２・・・シャフト部
１４・・・ストラップ
１６、５０・・・第一軟質帯
１８・・・ソールシート
２０、２２、２４、５２、５４、５６・・・端
２６、６０・・・サイドシート
２８・・・第二軟質帯
３０、６４・・・バックシート
３２・・・中央
３４・・・下側端
５８・・・第三軟質帯
６２・・・ジップファスナー
６６・・・上端
６８・・・下端
７２・・・ゴルフクラブ
【図１】
2015123081.tif 000003
【図２】
2015123081.tif 000004
【図３】
2015123081.tif 000005
【図４】
2015123081.tif 000006
【図５】
2015123081.tif 000007
【図６】
2015123081.tif 000008
【図７】
2015123081.tif 000009
【図８】
2015123081.tif 000010
【図９】
2015123081.tif 000011